(57)【要約】      （修正有）【課題】凹凸パターンのプリグルーブを成形するための金型からディスク基板を容易且つ確実に離型し、成形されたディスク基板に面振れ、軸方向のチルトの悪化を生じさせることのないディスク基板成形用金型装置及び製造法とそれらで製造された基板を提供する。【解決手段】合成樹脂材料からディスク基板を成形する金型装置であって、ディスク基板成形用キャビティ（４）を構成する固定側金型（１）と、可動側金型（２）とを備え、該可動側金型はディスク基板の外周側の周面を成形するキャビリング（１６）が装着され、該キャビリングのディスク基板の外周端面を成形する箇所は、該固定側金型に向かって拡径しているテーパー形状部を有し、該テーパー形状部は、１°〜１０°の角度にテーパー加工されたものであり、スタンパ（７）が装着される前記固定側金型は、該スタンパの外周側を該固定側金型に固定する吸引口（１４）を背部に有する。【選択図】図１
2006321236.tif 000002
【特許請求の範囲】
【請求項１】
合成樹脂材料からディスク基板を成形する金型装置であって、ディスク基板成形用キャビティ（４）を構成する固定側金型（１）と、可動側金型（２）とを備え、該可動側金型（２）はディスク基板の外周側の周面を成形するキャビリング（１６）が装着され、スタンパ（７）が装着される前記固定側金型（１）は、該スタンパ（７）の外周側を該固定金型（１）に固定する吸引口（１４）を背部に有することを特徴とするディスク基板成形用金型装置。
【請求項２】
前記可動側金型（２）に装着されるキャビリング（１６）のディスク基板の外周端面を成形する箇所は、固定側金型（１）に向かって拡径しているテーパー形状部を有し、該テーパー形状部は、１°〜１０°の角度にテーパー加工されたものであることを特徴とする請求項１に記載のディスク基板成形用金型装置。
【請求項３】
前記請求項１または２記載の装置を用いて成形することを特徴とする光ディスク基板の製造方法。
【請求項４】
前記請求項１または２記載の装置を用いて成形されたことを特徴とする光ディスク基板。
【発明の詳細な説明】
【技術分野】
【０００１】
本発明は、光ディスクや光磁気ディスクの如く、情報信号の記録媒体となるディスクを構成する合成樹脂材料を成形して形成されるディスク基板を成形するディスク基板成形用金型装置、製造方法、光ディスク基板に関する。
【背景技術】
【０００２】
従来、光透過性を有するポリカーボネート樹脂等の合成樹脂材料により形成されたディスク基板を用いた光ディスクが提案されている。この種の光ディスクには、予め記録された情報信号の再生のみを行なう再生専用型の光ディスクと、一旦、記録された情報信号の書き換えを可能とする書き換え可能型の光磁気ディスクとが知られている。そして、再生専用の光ディスクは、所定の音楽信号等の情報信号に対応する凹凸パターンである、いわゆるピットが形成されたディスク基板の一方の主面側にアルミニウム等を、例えば、蒸着して形成した反射膜を設けて構成されてなる。また、情報信号の書き換えを可能とする光磁気ディスクは、所望の情報信号が記録される記録トラックを構成するプリグルーブが形成されたディスク基板の一方の主面に磁性膜を有する信号記録層を形成して構成されてなる。
この種の光ディスクは、デジタル化された音楽信号等の情報信号を極めて高密度に記録することが可能である。直径を６４ｍｍとなし、少なくとも７４分の音楽信号の記録及び再生、あるいは再生のみを可能となすものなどが提案されている。
【０００３】
この光ディスクは、光透過性を有するポリカーボネート樹脂等の合成樹脂材料を成形して形成したディスク基板を有し、このディスク基板の記録トラックを構成するプリグルーブが形成された一方の主面側に垂直磁化膜等を被着して信号記録層を形成してなる。そして、上記光ディスクに対する情報信号の記録は、上記光ディスクを所定の回転速度で回転駆動させた状態で信号記録層が形成された信号記録部に設けられた記録トラックに光ピックアップから出射される光ビームを照射するとともに、外部磁界発生装置から記録するべき情報信号に応じて磁界変調された磁界を印加することによって行なわれる。
【０００４】
上記光ディスクは、小径であって微細な記録トラックが高密度に形成されてなるので、この光ディスクを回転操作するディスク記録及び／又は再生装置内に配設されるディスク回転駆動機構のディスクテーブル上に正確に位置決めされて装着されるとともに、上記ディスクテーブルに確実に一体化されて装着され、このディスクテーブルの回転に正確に同期して回転駆動される必要がある。
【０００５】
ところで、上記光ディスクを構成するポリカーボネート樹脂等の合成樹脂材料を成形して形成されるディスク基板は、射出成形用の金型装置により成形される。このディスク基板を成形する金型装置は、上記ディスク基板に対応する成形用キャビティを構成する固定側金型と可動側金型とを備え、例えば固定側金型のディスク基板成形面側に所定の音楽信号等の情報信号に対応する凹凸パターンである、いわゆるピットあるいは所望の情報信号が記録される記録トラックを構成するプリグルーブを成形するスタンパを配し、可動側金型側に突部の中心部に設けられるセンタリング部材係合孔を穿設する打ち抜きパンチを配している。
【０００６】
上記金型装置を用いたディスク基板の成形は、固定側金型に配したスプルブッシュの射出口を介して溶融された合成樹脂材料を成形キャビティ内に射出充填して行なわれる。そして、成形キャビティ内でのディスク基板の成形を行なった後、打ち抜きパンチを可動させることにより中心部にセンタリング部材係合孔が穿設され、一方の主面側にピットあるいはプリグルーブが成形されたディスク基板の成形が行なわれる。
【０００７】
光記録媒体、光記録媒体用基板及び基板成形用金型装置に関しては、例えば特許文献１（特開平５−２０８４２９号公報）に、固定側金型側に凹凸部からなる離型抵抗部を、ディスク基板の外周側壁に相当する部分又は内側中心部に突設される突部の内壁に相当する部分に設けるものが記載されている。この特許文献１（特開平５−２０８４２９号公報）記載のものは、凹凸パターンであるピット、あるいは記録トラックを構成するプリグルーブを成形するスタンパから成形されたディスク基板の容易且つ確実な離型はおこなわれるが、成形サイクルを短縮していくと逆テーパーによる離型抵抗が大きくなり、金型からの容易な離型を行なうことができなくなると、特に、機械特性的な面振れ、軸方向のチルトが悪化することが判っており、光ディスクのディスク基板として用いることができなくなる。
【０００８】
【特許文献１】特開平５−２０８４２９号公報
【発明の開示】
【発明が解決しようとする課題】
【０００９】
そこで本発明は、凹凸パターンであるいわゆるピット、あるいは記録トラックを構成するプリグルーブを成形するための金型からディスク基板の容易且つ確実な離型を行ない、成形されるディスク基板に面振れ、軸方向のチルトの悪化を生じさせることのないディスク基板成形用金型装置及び製造法とそれらで製造された基板を提供することを目的に提案されたものである。
【課題を解決するための手段】
【００１０】
上記課題は、本発明の（１）「合成樹脂材料からディスク基板を成形する金型装置であって、ディスク基板成形用キャビティ（４）を構成する固定側金型（１）と、可動側金型（２）とを備え、該可動側金型（２）はディスク基板の外周側の周面を成形するキャビリング（１６）が装着され、スタンパ（７）が装着される前記固定側金型（１）は、該スタンパ（７）の外周側を該固定金型（１）に固定する吸引口（１４）を背部に有することを特徴とするディスク基板成形用金型装置」、（２）「前記可動側金型（２）に装着されるキャビリング（１６）のディスク基板の外周端面を成形する箇所は、固定側金型（１）に向かって拡径しているテーパー形状部を有し、該テーパー形状部は、１°〜１０°の角度にテーパー加工されたものであることを特徴とする前記第（１）項に記載のディスク基板成形用金型装置」、（３）「前記第（１）項または第（２）項の装置を用いて成形することを特徴とする光ディスク基板の製造方法」、（４）「前記第（１）項または第（２）項の装置を用いて成形されたことを特徴とする光ディスク基板」により達成される。
【００１１】
本発明は、上述したような目的を達成するため、合成樹脂材料を成形して形成され、基板本体の内周側に突部を突設してなるディスク基板を成形する金型装置において、ディスク基板成形用キャビティを構成する固定側金型と、この固定側金型に相対向して配設され上記固定側金型とともにディスク基板成形用キャビティを構成する可動側金型とを備え、上記固定側金型若しくは可動側金型の成形される基板本体の外周縁側に対応する位置の外周面に離型抵抗部を設けるようにしたものである。
【発明の効果】
【００１２】
本発明のディスク基板成形用金型装置は、固定側金型若しくは可動側金型の成形される基板本体の外周側に対応する位置に離型抵抗部（テーパー）を設けているので、ディスク基板を成形後、金型から確実にディスク基板の離型を行なうことが可能となり、離型不良を防止し、成形歪み等を生じさせることのないディスク基板の成形を可能とするとともに、成形されたディスク基板の金型内からの容易な取出しを実現することが可能となり、機械特性的な面振れ、軸方向のチルトが悪化することなく基板成形できるという極めて優れた効果を奏するものである。
【実施例】
【００１３】
以下に、実施例により本発明を詳細に説明する。
本発明に係るディスク基板成形用金型装置の具体的な実施例を図面を参照して説明する。このディスク基板成形用金型装置は、図１に示すように、固定側金型（１）とこの固定側金型（１）に対し、近接離間する方向に進退可能に油圧機構等を介して支持された可動側金型（２）からなる金型（３）を備えてなる。この金型（３）を構成する固定側金型（１）と可動側金型（２）間には、成形されるディスク基板（１１）に対応する成形用キャビティ（４）が区画構成される。
そして、固定側金型（１）側には、成形用キャビティ（４）の中心に位置して、射出成形機から供給される溶融されたポリカーボネート樹脂の如き合成樹脂材料を上記成形用キャビティ（４）内に流入させるスプルブッシュ（５）が配設されている。このスプルブッシュ（５）の中心部には樹脂射出ノズル（５ａ）が穿設され、射出成形機から供給される溶融された合成樹脂材料は、上記樹脂射ノズルを介して成形用キャビティ（４）内に射出される。
【００１４】
上記スプルブッシュ（５）の外周側には、後述するスタンパ（７）の内周側を支持する内周側スタンパ押え（１２）が嵌合配設されるホルダ支持体（１５）が嵌合配設されている。
この固定側金型（１）の成形用キャビティ（４）を区画構成する成形面側には、光ディスクに記録される情報信号に対応する微小な凹凸パターンであるいわゆるピット、あるいは光ディスクの信号記録部に形成される記録トラックを構成するプリグルーブを成形するスタンパ（７）が装着されている。このスタンパ（７）は、中心穴の周縁をホルダ支持体に嵌合配設される内周側スタンパ押え（１２）に支持され、外周側は背部吸引口（１４）からのエアー吸引により吸引され装着されてなる。一方、可動側金型（２）の成形用キャビティ（４）を区画構成する成形面側の中央部には、固定側金型（１）に設けられる突部（１３）成形部と共働してディスク基板の他方の主面側に突設される突部（１１ａ）を成形する突部成形用凹部（１７）が形成されている。この突部成形用凹部（１７）の中心部には、上記突部（１３）の中心に貫通穴（１１ｂ）として形成されるセンタリング部材係合孔を打ち抜き形成する打ち抜きカットパンチ機構の打ち抜きパンチ（９）が配設されている。この打ち抜きパンチ（９）は、スリーブ（１８）内を進退するようにして可動側金型（２）に配設されている。
なお、上記スリーブは、可動側金型（２）に対し進退可能に支持され、成形されたディスク基板を可動側金型（２）から突き出し操作する。
【００１５】
そして、可動側金型（２）の外周側には、成形用キャビティ（４）の外周側を区画構成するとともに、成形されるディスク基板の外周側周面を成形するディスク外周面成形部材のキャビリング（１６）が配設されている。このキャビリング（１６）は、先端面側を平滑な突当て面となし、固定側金型（１）に取付けられるスタンパにタッチするように配設されてなる。そして、上記キャビリング（１６）は、可動側金型（２）が固定側金型（１）に移動された型締め状態とされたとき、平滑な突当て面をスタンパに当接して成形用キャビティ（４）を密閉するようにする成形ディスク基板を作成する。
【００１６】
また、可動側金型（２）の成形面は、ディスク基板の光ビームの入射面側となり高精度に平滑な面とされるディスク基板の他方の主面の成形を可能となすように、高精度に平滑な面とされたミラー面とされている。
ディスク基板を成形後、可動側金型（２）を固定側金型（１）から離間する方向に移動させる型開きを行なった際、上記ディスク基板を可動側金型（２）側に保持させ、可動側金型内のエジェクタピン（１０）を突出し可動側金型（２）からディスク基板を離型させる。
【００１７】
上述したように構成された金型装置を用いてディスク基板を成形するには、可動側金型（２）を固定側金型（１）側に近接させた型締め状態とする。この型締め状態において、スプルブッシュ（５）の樹脂射出口を介して成形用キャビティ（４）内に、射出成形機から供給される溶融されたポリカーボネート樹脂の如き合成樹脂材料を射出充填する。このとき、打ち抜きパンチ（９）を可動させて突部の中心にセンタリング部材係合孔を穿設する。次いで、可動側金型（２）を固定側金型（１）側へ移動させ、成形用キャビティ（４）内に充填された合成樹脂材料を圧縮する型締めを行なうとともに冷却を行なうことにより、上記成形用キャビティ（４）に対応するディスク基板の成形が行なわれる。
このように構成した金型装置にあっては、キャビティ（４）の外周側を区画構成するキャビリングとともに、成形されるディスク基板の外周側周面を成形する内周面を可動側金型（２）に向かって縮径するテーパー面とする。一方、ディスク基板の成形時に嵌合する可動側金型（２）の外周面を、拡径するようなテーパー面とする。そして、ディスク成形用キャビティ（４）の外周側は、可動側金型（２）から固定側金型（１）に向かって拡径されたテーパー状とされる。
【００１８】
【表１】
2006321236.tif 000003
【図面の簡単な説明】
【００１９】
【図１】本発明のディスク基板成形用金型装置の概略図である。
【符号の説明】
【００２０】
１  固定側金型
２  可動側金型
３  金型
４  成形用キャビティ
５  スプルブッシュ
５ａ  樹脂射出ノズル
７  スタンパ
９  打ち抜きパンチ
１０  エジェクタピン
１１  ディスク基板
１１ａ  突部
１１ｂ  貫通穴
１２  内周側スタンパ押え
１３  突部
１４  吸引口
１５  ホルダ支持体
１６  キャビリング
１７  突部成形用凹部
１８  スリーブ
【図１】
2006321236.tif 000004